(57)【要約】【課題】構成、操作、保守管理が容易で、かつ寒冷地でも消毒薬剤等の凍結を簡単に防止できる車両用その他の消毒に好適な消毒装置を低廉な製造コストで実現し、特に鶏舎、畜舎への出入りの際の消毒を能率よく実行する。【解決手段】消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーとを具え、前記開口空間への車両、人その他の接近ならびに開口空間を通過した車両、人その他の前記本体部からの離開を探知して駆動回路を介してポンプ駆動のオン・オフをなす消毒装置である。【選択図】  図１
2007195579.tif 000002
【特許請求の範囲】
【請求項１】
消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーとを具え、前記開口空間への車両、人その他の接近ならびに開口空間を通過した車両、人その他の前記本体部からの離開を探知して駆動回路を介してポンプ駆動のオン・オフをなすようにしたことを特徴とする消毒装置。
【請求項２】
請求項１記載の消毒装置において、消毒液の流路を消毒液貯留タンク、ポンプ、本体部を構成するパイプ、消毒液噴霧口で形成し、前記ポンプは前記消毒液貯留タンク中に投入される水中ポンプで構成するとともにこの水中ポンプならびに消毒液貯留タンクは本体部を構成する前記パイプのポンプ側始端より低い位置に設定して、水中ポンプの駆動停止と同時に前記パイプ中に残留した消毒液は直ちに消毒液貯留タンクに還流されるようにしたことを特徴とする消毒装置。
【請求項３】
請求項２記載の消毒装置において、前記消毒液貯留タンクには消毒液加熱手段と残量確認手段を設けたことを特徴とする消毒装置。
【請求項４】
消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーと、消毒液の撒布時間の設定をなすタイマーとを具え、前記開口空間への車両、人その他の接近を探知して前記タイマーにより設定した所定時間ポンプを駆動させるようにしたことを特徴とする消毒装置。
【請求項５】
消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーと、開口空間を通過する車両、ヒトその他の速度検知手段と、検知した速度に応じてポンプの駆動時間を設定するタイマー手段と具え、前記開口空間への車両、人その他の接近を探知して駆動回路を介してポンプを駆動させる一方、前記タイマーにより設定された時間ポンプを駆動させるようにしたことを特徴とする消毒装置。
【請求項６】
請求項４又は５いずれか記載の消毒装置において、消毒液の流路を消毒液貯留タンク、ポンプ、本体部を構成するパイプ、消毒液噴霧口で形成し、前記ポンプは前記消毒液貯留タンク中に投入される水中ポンプで構成するとともに、この水中ポンプならびに消毒液貯留タンクは本体部を構成する前記パイプのポンプ側始端より低い位置に設定して、水中ポンプの駆動停止と同時に前記パイプ中に残留した消毒液は直ちに消毒液貯留タンクに還流されるようにしたことを特徴とする消毒装置。
【請求項７】
請求項６記載の消毒装置において、前記消毒液貯留タンクには消毒液加熱手段と残量確認手段を設けたことを特徴とする消毒装置。
【発明の詳細な説明】
【技術分野】
【０００１】
本願発明は、鶏舎、畜舎等へのウイルスその他の病原体の浸入またはそれらから外部への病原体の流出を防止するための消毒装置に関し、特に出入りする車両の消毒をなすに適し寒冷地でも凍結の惧れがなく保守管理のしやすい消毒装置に関するものである。
【背景技術】
【０００２】
最近、鳥インフルエンザ等が猛威をふるい、家禽畜舎の衛生管理に格別の対策を講ずる必要が増している。対策の第１歩は鶏舎、畜舎等への病原体の侵入の防止とそこからの病原体の流出の防止にあり、このため出入りする車両、ヒトその他のものの消毒が必要不可欠となる。
【０００３】
従来この種の消毒装置、特に特定箇所を出入りする車両の消毒装置としては例えば特開平５−３２１５５号に開示されたようなものがある。
即ち、この消毒装置は、台車を設けた支台にて支持する門形状の台車枠本体の適位置に、噴出穴を複数箇穿設する上側方散布用配管の噴出穴を内方に向けて複数設けた散布用台車を駆動装置にてレール上を往復走行可能とし、レール間の中央平行に設けたガイドレールに嵌合するライナーに、ノズルを千鳥状数箇所に設けた下方散布用配管をノズルを上方に向けて取付け、下方散布用配管下方にワイヤロープを固定しそのワイヤロープ一端を上プーリ・下プーリを設けた第三案内装置と第二案内装置とプーリを通して支台一端に、又、ワイヤロープ他端を上プーリ・下プーリを設けた案内巻取装置と第一案内装置とプーリを通して支台他端に連結し、混合タンクと上側方散布用配管及び下方散布用配管をホースで接続すると共に、案内巻取装置内に設けたホースリールにてホースの巻取りを可能とし、上側方散布用配管と下方散布用配管を連動するようにしたものである。
【０００４】
更に、取付板に支持板を平行適間隔に直立設置してなる取付台に、係止爪をかぎ状に突設した締付金具一対を取付台に係止爪を対向させて搖動自在に吊設し、回動軸にて締付金具の係止爪間の隙間の調整を自在とした転倒防止装置の係止爪にてレールを挾持するよう支台下面の適位置に設けるようにしたものである。
【０００５】
車輌の消毒には、車輌が所定位置で停止すると入車検知器にて入車を検知し混合タンクより薬液を送り、上側方散布用配管及び下方散布用配管より車輌の上部側部床下部の全面に噴霧される。同時に両側の駆動装置にて台車を回動して散布用台車を走行させると共に、ワイヤロープにてガイドレールに沿って下方散布用配管を引張り散布用台車の走行に連動して同じ方向へ移動させる。この時下方散布用配管に接続するホースはホースリールに巻取られる。
【０００６】
散布用台車が所定位置まで走行して来るとリミットスイッチ等によって、駆動装置が逆転し元の方向に走行する。この往復走行を繰返しながら消毒が終わるまで噴霧は続けられる。消毒済みになると停止していた車輌は出車し出車検知器にて出車を検知して混合タンクからの薬液供給がなくなり噴霧は止まると共に、駆動装置によって散布用台車はスタート時の位置に戻って停止する。そして回動軸にて係止爪間を調整しているため走行には支障なく又、強風の場合でもレールに係止爪が引掛って当たるため転倒しない。
なお、本願発明に関連する技術としては以下のようなものが開示されている。
【特許文献１】特開平０５−３２１５５
【発明の開示】
【発明が解決しようとする課題】
【０００７】
しかしながら、上記の従来技術にあっては、構成が複雑で操作も難しくかつ保守管理も容易ではなく、製造コストも高価で資金力のある大手企業は導入し得ても中小業者にとっては買い入れ価格、管理費等の点から普及が難しい。  また、消毒動作も複雑・煩瑣であるため    不本意ながら消毒を回避・懈怠する現象の発生もまれではなく、また寒冷地では消毒薬剤等の凍結の惧れもある。    
【課題を解決するための手段】
【０００８】
本願発明は、消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーとを具え、前記開口空間への車両、人その他の接近ならびに開口空間を通過した車両、人その他の前記本体部からの離開を探知して駆動回路を介してポンプ駆動のオン・オフをなすようにした消毒装置を提供して、上記従来の課題を解決しようとするものである。
【０００９】
また、上記の消毒装置において、消毒液の流路を消毒液貯留タンク、ポンプ、本体部を構成するパイプ、消毒液噴霧口で形成し、前記ポンプは前記消毒液貯留タンク中に投入される水中ポンプで構成するとともにこの水中ポンプならびに消毒液貯留タンクは本体部を構成する前記パイプのポンプ側始端より低い位置に設定して、水中ポンプの駆動停止と同時に前記パイプ中に残留した消毒液は直ちに消毒液貯留タンクに還流されるように構成してパイプ中の残留消毒液の凍結を防止するようになすことがある。
【００１０】
さらに、上記の消毒装置において、前記消毒液貯留タンクには消毒液加熱手段と残量確認手段を設けることがある。
【００１１】
本願発明はまた、消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーと、消毒液の撒布時間の設定をなすタイマーとを具え、前記開口空間への車両、人その他の接近を探知して前記タイマーにより設定した所定時間ポンプを駆動させるように構成した消毒装置を実現して上記従来の課題を解決しようとするものである。
【００１２】
さらに本願発明は、消毒液貯留タンクと、ポンプと、このポンプから圧送される消毒液の撒布装置と、ポンプの動作制御手段とを具え、前記撒布装置は車両、人その他の通過可能な開口空間を有する本体部とこの本体部に形成され前記開口空間に消毒剤を放射する消毒液噴霧口からなり、前記動作制御手段は、ポンプの手動駆動回路と、自動駆動回路と、これら両回路の切り替えスイッチとを有し、前記自動駆動回路はポンプの駆動回路とセンサーと、開口空間を通過する車両、ヒトその他の速度検知手段と、検知した速度に応じてポンプの駆動時間を設定するタイマー手段と具え、前記開口空間への車両、人その他の接近を探知して駆動回路を介してポンプを駆動させる一方、前記タイマーにより設定された時間ポンプ駆動させるようにした消毒装置を提供して上記従来の課題を解決しようとするものである。
【００１３】
そして、上記いずれかの消毒装置において、消毒液の流路を消毒液貯留タンク、ポンプ、本体部を構成するパイプ、消毒液噴霧口で形成し、前記ポンプは前記消毒液貯留タンク中に投入される水中ポンプで構成するとともにこの水中ポンプならびに消毒液貯留タンクは本体部を構成する前記パイプのポンプ側始端より低い位置に設定して、水中ポンプの駆動停止と同時に前記パイプ中に残留した消毒液は直ちに消毒液貯留タンクに還流されるように構成することがある。
【００１４】
さらに、上記の消毒装置において、前記消毒液貯留タンクには消毒液加熱手段と残量確認手段を設けることがある。
【発明を実施するための最良の形態】
【００１５】
本願発明において、撒布装置における本体部は金属又は樹脂製のパイプによりアーチ状に形成し、このアーチに囲繞された部分により車両、人その他の通過可能な開口空間が構成される。アーチの高さ、幅は、例えば種々の大きさの車両に対応できるように伸縮可能なように形成するのが好ましい。  アーチの内側部分には開口空間に向けて消毒液を噴霧するための消毒液噴霧口が複数設けられる。
【００１６】
そして、本願消毒装置において、消毒液の流路は消毒液貯留タンク、ポンプ、本体部を構成するパイプ、消毒液噴霧口で形成されるが、前記ポンプは前記消毒液貯留タンク中に投入される水中ポンプを使用するのが好ましい。さらに、この水中ポンプならびに消毒液貯留タンクは本体部を構成する前記パイプによるアーチより低い位置に設定する。  
このことにより、水中ポンプの駆動停止と同時に前記アーチのパイプ中に残留した消毒液は直ちに消毒液貯留タンクに還流されるから、パイプ中の残留消毒液の凍結は防止される。
【００１７】
また、本願消毒装置の動作制御系は、ポンプの手動駆動回路と、自動駆動回路と、これら両回路の切り替えスイッチとを有している。  この切り替えスイッチでは、手動を選択するとポンプの駆動回路がオンとなりポンプは直ちにスタートするように構成される。
そして、切り替えスイッチで自動を選択すると、自動駆動回路がスイッチオンとなる。  この自動駆動回路はポンプの駆動回路とセンサーとを具えて構成され、センサーはポンプの駆動回路はアーチの開口空間への車両、人その他のものが接近すると、これを探知して駆動回路に信号を出力しポンプをスタートさせ消毒液の撒布が始まる。さらに、センサーは開口空間を通過した車両、人その他の開口空間からの離開を探知して駆動回路を介してポンプ駆動を停止させる。
【発明の実施例】
【００１８】
本願発明に係る１実施例を図面に沿って説明する。  図１は、消毒装置Ａの概略構成を示す正面図である。  消毒装置Ａは、消毒液貯留タンク１と、このタンク１中に設置される水中ポンプ２と、この水中ポンプ２から圧送される消毒液の撒布装置３と、水中ポンプ２の動作制御手段４とを具えている。  前記撒布装置３は車両、人その他の通過可能な開口空間５を有する金属又は樹脂パイプからなる本体部３ａとこの本体部３ａに形成され前記開口空間５に消毒剤を放射する消毒液噴霧口３ｂから構成されている。  なお、図において、６は前記撒布装置３を支持する基盤６である。      
また、基盤６内には必要に応じて、前記本体部３ａに連通するパイプ７を収納し、このパイプ７に上向きの消毒液噴霧口を設けて車両等の底部を消毒できるようにしてもよい。  そして、本体部３ａの下端や、パイプ７の底部には消毒液の圧力が０となった場合すなわち水中ポンプ２が停止した場合、内部の消毒液が自然排出されるための排出細孔を設ける。これにより、内部に消毒液が残留せずその凍結等を防止できることになる。さらに、消毒液の凍結防止対策として、消毒液貯留タンク１内に水中ヒーター（不図示）を投入する。また、消毒液貯留タンク１には消毒液の残量確認手段が設けられるが、この実施例では、消毒液貯留タンク１を透光性樹脂材で形成することで消毒液の残量確認を一目でなすことを可能にしてある。
【００１９】
上述のように消毒液の流路は消毒液貯留タンク１、水中ポンプ２、本体部３ａを構成するパイプ、消毒液噴霧口３ｂそして場合によってはパイプ７で構成されるが、これら水中ポンプ２ならびに消毒液貯留タンク１は本体部３ａを構成するパイプのポンプ側始端より低い位置に設定される。  かくして、水中ポンプ２の駆動停止と同時に前記本体部３ａ等のパイプ中に残留した消毒液は直ちに消毒液貯留タンクに還流されあるいは、前記のように本体部３ａの下端や、パイプ７の底部に設けた排出細孔から外部に流出する。
【００２０】
図２は前記動作制御手段４の構成を示すブロック図であり、動作制御手段４は水中ポンプ２の手動駆動回路９と、自動駆動回路１０と、これら両回路の切り替えスイッチ１０とを有し、前記自動駆動回路９は水中ポンプ２の駆動回路とセンサー１１とを具えて構成されている。この実施例では、自動駆動回路１０のポンプ駆動回路は手動駆動回路９を利用している。
センサー１１は、自動駆動回路９の動作時に作動することになるが、超音波センサーまたは赤外線センサー等の公知のものを使用し、前記開口空間５への車両、人その他の接近ならびに開口空間５を通過した車両、人その他の前記本体部３ａからの離開を探知して自動駆動回路９等を介して水中ポンプ２駆動のオン・オフをなすことになる。
【００２１】
上述の構成に基づいて、外実施例の作用を説明する。手動の場合は、動作制御手段４の切り替えスイッチ１０で手動を選択プッシュすると手動駆動回路９を介して水中ポンプ２が動作し、消毒液が各噴霧口３ｂから霧状になって放出され、前記開口空間５を通過する車両その他を消毒する。そして、切り替えスイッチ１０で再度手動をプッシュすると水中ポンプ２が停止し、本体部３ａ、パイプ７内に残留した消毒液は消毒液貯留タンク１に還流したり、前記のように、体部３ａの下端や、パイプ７の底部に設けた排出細孔から外部に流出する。
【００２２】
動作制御手段４において切り替えスイッチ１０で自動を選択プッシュすると、自動駆動回路９がスイッチオンとなり、センサー１１が動作のスタンバイ状態となる。  そして、開口空間５への車両、人その他のものが接近すると、センサー１１はこれを探知しその情報は自動駆動回路９に出力される。この結果、自動駆動回路９から手動駆動回路８へのポンプ駆動信号により水中ポンプ２が起動して本体部３ａ、パイプ７等の噴霧口から消毒液が放散され対象を消毒する。
【００２３】
一方、開口空間５を通過した車両、人その他の前記本体部３ａからの所定距離だけ離開するとこれをセンサー１１が探知して、その情報信号が自動駆動回路９に出力される。この結果、自動駆動回路９から手動駆動回路８へのポンプ駆動信号が停止し水中ポンプ２がその駆動をストップする。この後、本体部３ａ、パイプ７内に残留した消毒液は消毒液貯留タンク１に還流したり、前記のように、体部３ａの下端や、パイプ７の底部に設けた排出細孔から外部に流出し、消毒液の残留はなくなり凍結等の惧れはなくなる。
【００２４】
なお、上記の実施例で、前記自動駆動回路はポンプの駆動回路とセンサーと、消毒液の撒布時間の設定をなすタイマーとを具える構成となすこともある。  これにより、前記開口空間５への車両、人その他の接近を探知して前記タイマーにより設定した所定時間ポンプを駆動させるようにできる。
【００２５】
さらに、上記の実施例で、前記自動駆動回路はポンプの駆動回路とセンサーと、開口空間を通過する車両、ヒトその他の速度検知手段と、検知した速度に応じてポンプの駆動時間を設定するタイマー手段と具える構成となすこともある。  これにより、開口空間５への車両、人その他の接近を探知して駆動回路を介してポンプを駆動させる一方、前記タイマーにより設定された時間ポンプ駆動させることができる。
【図面の簡単な説明】
【００２６】
【図１】本願発明の１実施例に係る消毒装置の概略構成を示す正面図である。
【図２】図１に示す消毒装置の動作制御手段４の構成を示すブロック図である。
【符号の説明】
【００２７】
Ａ．．．．．消毒装置
１．．．．．消毒液貯留タンク
２．．．．．水中ポンプ
３．．．．．撒布装置
３a．．．．本体部
３b．．．．噴霧口
４．．．．．動作制御手段
５．．．．．開口空間
６．．．．．基盤
７．．．．．パイプ
【図１】
2007195579.tif 000003
【図２】
2007195579.tif 000004